(57)【特許請求の範囲】
【請求項１】
環状の蛍光ランプと、前記蛍光ランプを保持する丸型の器具本体と、前記器具本体に装着された、補助照明を有する補助照明部と、前記器具本体に対して回動させて脱着される、前記蛍光ランプを覆う角型のカバーと、を有する照明器具において、
前記補助照明部は、少なくとも前記角型のカバーの外接円よりも外部にまで延出可能に設けられており、
前記角型のカバーは前記補助照明部を収納する収納部を有することを特徴とする照明器具。
【請求項２】
前記補助照明部は、前記器具本体に固定される固定部と、前記固定部に対して移動可能に設けられた可動部とを有し、前記可動部に前記補助照明が設けられている、請求項１に記載の照明器具。
【請求項３】
前記収納部は、前記補助照明部を、少なくとも前記可動部の外面が前記角型のカバーの側面に沿う形状となる位置に収納する、請求項１または２に記載の照明器具。
【請求項４】
前記収納部は前記角型のカバーの角部に形成されている、請求項１ないし３のいずれ１項に記載の照明器具。
【請求項５】
前記収納部は前記角型のカバーの側面部に形成されている、請求項１ないし３のいずれ１項に記載の照明器具。
【請求項６】
前記角型のカバーの平面形状は四角又は多角型状である、請求項１ないし５のいずれ１項に記載の照明器具。
【発明の詳細な説明】
【技術分野】
【０００１】
本発明は、住居又は公共建築物などの天井や壁、柱等に取り付けられる照明器具に関し、特に発光照明機能のほかに補助照明機能を付加し、この補助照明機能を利用して装飾性を持たせた照明器具に関する。
【背景技術】
【０００２】
近年、市場では直付丸型シーリングが普及し、さまざまな丸型カバーデザインの照明器具が用いられている（特許文献１）。また、商品の差別化、機能搭載商品のため、図６に示すように、器具本体に主照明の他にＬＥＤ等の補助照明を搭載する照明器具も普及しつつある。
【０００３】
図６に示す照明器具は、天井直付け型の照明器具である。この照明器具は、丸型の器具本体１００に環状の蛍光ランプ１０２が取り付けられている。また、器具本体１００の外周には、４つの補助照明１０１が等間隔で配置されている。補助照明１０１は、例えば、発光ダイオードからなる。蛍光ランプ１０２および補助照明１０１を備えた器具本体１００は、透光性の樹脂で形成されたカバー１５０により、下面全体が覆われる。カバー１５０は回動させながら、器具本体１００の下面に設けられたカバー取付具に引っかけることで、器具本体１００に装着される。
【０００４】
照明器具は、天井２００に固定された配線器具２０１を介して器具本体取付け具２０２によって天井２００に取付け固定され、同時に電気的接続もなされる。
【０００５】
ところで、市場においては丸型カバーのデザインの商品が多く、多様化するデザイン市場の中で、角型形状のカバーの必要もあり差別化を図るためにも角型デザインが要求されている。特許文献２には、補助照明を有する角型形状のカバーを有する照明器具が開示されている。特許文献２に開示された照明器具は、カバーから支持アームが延出しており、この支持アームに補助照明が取り付けられている。
【特許文献１】特開２００６−１２７８８５号公報
【特許文献２】特開２０００−１１７０５号公報
【発明の開示】
【発明が解決しようとする課題】
【０００６】
照明器具は、外観デザイン上、突出部のないスッキリとしたまとまったデザインが好まれる傾向にあり、外観デザイン上突起を無くすのが好ましい。
【０００７】
また、外周に補助照明を有する丸型の器具本体に角型カバーを回動させながら取り付ける場合、カバーが角型であるため、補助照明と干渉してしまう場合がある。補助照明と角型カバーとの干渉を避けるため、補助照明が器具本体の内側に配置すると、補助照明と蛍光ランプとが干渉してしまうこととなるため、角型カバーを大型化せざるを得なくなってしまう。しかしながら、角型カバーが大型化されると外観デザイン上好ましくなく、また、重量増加を伴うこととなる。
【０００８】
さらに、コストを削減するためにも、照明器具は、一般的な直付丸型シーリング用（カバー回動着脱機構）器具本体を共用することが可能な構成が好ましい。
【０００９】
そこで、本発明は、コストが抑制され、突出部がなくシンプルな外観で、かつカバーの装着時に、補助照明と角型のカバーとが干渉することがない、照明器具を提供することを目的とする。
【課題を解決するための手段】
【００１０】
上記目的を達成するため本発明の照明器具は、環状の蛍光ランプと、蛍光ランプを保持する丸型の器具本体と、器具本体に装着された、補助照明を有する補助照明部と、器具本体に対して回動させて脱着される、蛍光ランプを覆う角型のカバーと、を有する照明器具において、補助照明部は、少なくとも角型のカバーの外接円よりも外部にまで延出可能に設けられており、角型のカバーは補助照明部を収納する収納部を有することを特徴とする。
【発明の効果】
【００１１】
本発明によれば、コストが抑制され、突出部がなくシンプルな外観で、かつカバーの装着時に、補助照明と角型のカバーとが干渉することがない。
【発明を実施するための最良の形態】
【００１２】
次に、図面を参照しながら本発明の実施の形態について説明する。
【００１３】
図１は、本発明の一実施形態を示す照明器具の分解斜視図である。図２は補助照明部の分解斜視図である。
図３は、図１の照明器具の断面図であり、図３（ａ）は補助照明部を収納した状態を示し、図３（ｂ）は補助照明部を延出させた状態を示す。図４は補助照明部の動作を説明するための斜視図であり、図４（ａ）は垂直部を収納した状態を示し、図４（ｂ）は垂直部を延出させた状態を示す。図５は、本発明の照明器具の取付動作を説明するための、天井側から見た本発明の照明器具の平面図であり、図５（ａ）は補助照明部を収納した状態を示し、図５（ｂ）は補助照明部を延出させた状態を示す。
【００１４】
本実施形態の照明器具１は天井直付け型である。照明器具１は、丸型の器具本体５に環状の蛍光ランプ３が取り付けられている。また、器具本体５の外周には、４つの補助照明部２が等間隔（本実施形態では９０°毎）で配置されている。また、器具本体５には、蛍光ランプ３及び補助照明部２のＬＥＤ等からなる補助光源３３、３４を点灯させるための点灯回路６が組込まれている。
【００１５】
蛍光ランプ３および補助照明部２を備えた器具本体５は、透光性の樹脂で形成された角型のカバー１０により、下面全体が覆われる。カバー１０は回動させながら、カバー１０の内側に設けられたカバー取付突起部１１と器具本体５の下面に設けられたカバー取付具４とを係合させることで器具本体５に装着される。
【００１６】
照明器具１は、天井２０に固定された配線器具２１を介して器具本体取付け具２２によって天井２０に取付け固定され、同時に電気的接続もなされる。
【００１７】
本実施形態のカバー１０は概ね四角型状であり、各角部に補助照明部２の垂直部３１ｂを収納可能な収納部１２が形成されている。収納部１２はカバー側面１０ｃに対して凹形状に形成されている。
【００１８】
次に、図２を用いて補助照明部の構造について説明する。
【００１９】
補助照明部２は、可動部３１と、固定部３２と、補助光源３３、３４と、レンズ３６、３７と、上面カバー３０とを有する。
【００２０】
可動部３１は、固定部３２に対してガイド溝３９の長手方向に移動可能な部材であろ、補助光源３３、３４が取り付けられている。この可動部３１は、水平部３１ａと、垂直部３１ｂを有する。可動部３１は、垂直部３１ｂが、水平部３１ａの端部にて水平部３１に対して略直角方向に延びているため、側面形状は略Ｌ字形状となっている。
【００２１】
水平部３１ａには、ガイド溝３９が形成されている。また、水平部３１ａの両側面にはガイド溝３９と平行に側板３１ａ１が形成されている。
【００２２】
垂直部３１ｂには、補助光源３３、３４と、レンズ３６、３７とが取り付けられている。補助光源３３は、光源取付板３５を介して、垂直部３１ｂの上端部分に取り付けられている。レンズ３６は、この補助光源３３を覆うように、光源取付板３５に取り付けられている。補助光源３４は、垂直部３１ｂの下端部分に取り付けられており、レンズ３７は、この補助光源３４を覆うように、垂直部３１ｂに取り付けられている。なお、補助光源３３、３４としてはＬＥＤや、白熱電球を用いることができる。
【００２３】
固定部３２は、器具本体５に対してねじ留めにより固定される。固定部３２の一端部には凸部３８が設けられており、この凸部３８は、可動部３１のガイド溝３９内に嵌り込む。また、固定部３２の両側面には側壁である側部３２ａが形成されている。可動部３１は固定部３２の２つの側部３２ａの間に収納される。
【００２４】
上面カバー３０は、固定部３２内に収納された可動部３１の脱落を防止する蓋である。固定部３２は、上面カバー３０を介して２つのネジ７１により器具本体５に固定される。可動部３１は、固定部３２の２つの側部３２ａの間に収納された状態で、固定部３２の凸部３８が可動部３１のガイド溝３９から突出した状態となる。この状態で上面カバー３０を介してネジ７０をねじ込むことで、可動部３１は固定部３２から脱落することなく移動可能に固定されることとなる。
【００２５】
次に、図３〜図５を用いて補助照明部の動作について説明する。なお、図４は、上面カバーを外した状態である。
【００２６】
図３及び図４に示すように、補助照明部２は、可動部３１の水平部３１ａが、固定部３２に対して、ガイド溝３９でガイドされ、かつ側板３１ａ１が側部３２ａでＹ方向への移動を規制されながら、Ｘ方向へと移動可能な構成となっている。
【００２７】
次に、補助照明部２の移動可能な範囲について説明する。
【００２８】
補助照明部２は、図４（ａ）に示すように、凸部３８が、ガイド溝３９の垂直部３１ｂ側の端部３９ａに突き当たるまで可動部３１を縮めることができる。なお、カバー１０が装着された状態では、図３（ａ）及び図５（ａ）のように可動部３１は、収納部１２に垂直部３１ｂが収納されるまで縮めることができる。収納部１２に垂直部３１ｂが収納された状態では図５（ａ）に示すように、補助照明部２はカバー１０から突出することなく、シンプルな外観の照明器具１とすることができる。
【００２９】
一方、補助照明部２は、図４（ｂ）に示すように、凸部３８が、ガイド溝３９の他端側の端部３９ｂに突き当たるまで可動部３１を延出させることができる。なお、可動部３１は延ばしきった状態であっても脱落することはない。可動部３１を延ばしきった状態では、図５（ｂ）に示すように、垂直部３１ｂの器具本体５の面である内側面３１ｂ１が角型のカバー１０の外接円４０よりも外側に位置する。このため、４つの補助照明部２の可動部３１を延ばしきった状態においては、角型のカバー１０は補助照明部２に干渉することなく、回動させることができる。
【００３０】
次に、本実施形態の照明器具におけるカバー１０の取り外し方法について説明する。なお、カバー１０は、器具本体５に対して一般的なカバー回動着脱機構により取り付けられている。
【００３１】
補助照明部２は収納部１２に垂直部３１ｂが収納された状態にある（図５（ａ））。補助照明部２を収納部１２から引き出す（図５（ｂ））。すなわち、可動部３１を器具本体５の外方向であって、可動部３１の内側面３１ｂ１が外接円４０よりも外側となる位置まで可動部３１を引き出して移動させる。次に、カバー１０を図５（ｂ）に示す矢印Ｄ方向に回動させる。この回動により、カバー取付突起部１１とカバー取付具４との係合が解除され、カバー１０を器具本体５から取り外すことができる。
【００３２】
次に、カバー１０の取付手順について説明する。
【００３３】
まず、可動部３１を器具本体５の外方向であって、可動部３１の内側面３１ｂ１が外接円４０よりも外側となる位置まで可動部３１を引き出しておく。
【００３４】
次に、カバー１０のカバー取付突起部１１と器具本体５のカバー取付突起部１１とがずれた位置となるように、カバー１０を器具本体５に対して押し付ける。
【００３５】
次に、カバー１０を図５（ｂ）に示す矢印Ｃ方向に回動させる。この回動により、カバー取付突起部１１がカバー取付具４に乗り掛けられることでカバー取付突起部１１がカバー取付具４に対して係合することとなる。
【００３６】
カバー１０の収納部１２と補助照明部２の可動部３１とが対向しあう位置までカバー１０を回動させた後、可動部３１を押し縮めて収納部１２内に収納させる。可動部３１の外面３１ｃはカバー１０のカバー側面１０ａに沿う形状となる位置に収納される。
【００３７】
なお、本実施形態では、照明器具１が、カバー１０は四角型状であって、各角部に補助照明部２を有する構成を示したが、本発明はこれに限定されるものではない。例えば、カバー１０は多角型であってもよい。また、補助照明部２はカバー１０の角部以外に設けられているものであってもよく、例えば、可動部３１の可動領域をより拡げて、補助照明部２をカバー１０の側面に設けた構成としてもよい。
【００３８】
また、本実施形態では、収納部１２は、可動部３１がカバー１０から突出することなく収納できる寸法とするのが好ましいが、これに限定されるものではない。例えば、可動部３１が若干カバー１０から突出していたとしても、照明器具１全体としてシンプルな外観を維持できる程度であれば、特に問題はない。
【図面の簡単な説明】
【００３９】
【図１】本発明の一実施形態を示す照明器具の分解斜視図である。
【図２】本発明の補助照明部の分解斜視図である。
【図３】図１の照明器具の断面図である。
【図４】補助照明部の動作を説明するための斜視図である。
【図５】本発明の照明器具の取付動作を説明するための、天井側から見た本発明の照明器具の平面図である。
【図６】本発明に関連する、補助照明を備えた照明器具の一例の分解斜視図である。
【符号の説明】
【００４０】
１    照明器具
２    補助照明部
３    蛍光ランプ
４    カバー取付具
５    器具本体
６    点灯回路
１０    カバー
１０ａ    カバー側面
１１    カバー取付突起部
１２    収納部
２０    天井
２１    配線器具
２２    器具本体取付け具具
３０    上面カバー
３１    可動部
３１ａ    水平部
３１ｂ    垂直部
３１ｃ    外面
３１ａ１    側板
３１ｂ１    内側面
３２    固定部
３２ａ    側部
３３、３４    補助光源
３５    光源取付板
３６、３７    レンズ
３８    凸部
３９    ガイド溝
３９ａ、３９ｂ    端部
４０    外接円
７０、７１    ネジ
【図１】
0005034112.tif 000002
【図２】
0005034112.tif 000003
【図３】
0005034112.tif 000004
【図４】
0005034112.tif 000005
【図５】
0005034112.tif 000006
【図６】
0005034112.tif 000007